(57)【要約】【課題】応力集中を発生させずに、センサケースを被固定部に適正に締付固定することができる始動発電機のセンサケースの取付構造を提供する。【解決手段】センサケース１１には、被固定部に固定される締付固定部３０が設けられる。締付固定部３０に設けた固定孔３１の周囲に締付固定座部３２が設けられ、締付固定座部３２の周囲には環状リブ３３が連続して設けられる。固定ボルト７を固定孔に挿入して被固定部に締付固定したとき、固定ボルト７のフランジ部７ａが環状リブ３３に当接するように構成される。【選択図】図１
2014068420.tif 000002
【特許請求の範囲】
【請求項１】
中央にボス部を設けてカップ状に形成されたロータ本体の外周壁にヨーク部を形成し、該ヨーク部の内側にロータ磁石を装着したロータと、該ロータの内側に静止して配設され、発電コイルをステータコアに巻装した複数の突極部を有したステータと、を備えた始動発電機であって、該ロータの回転位置を検出して検出信号を出力する複数の磁気センサが合成樹脂製のセンサケース内に設けられ、該センサケースが被固定部に固定ボルトにより締付固体される始動発電機のセンサケースの取付構造において、
前記センサケースには、該被固定部に固定される締付固定部が突設され、該締付固定部に固定ボルト用の固定孔が設けられ、該固定孔の周囲に締付固定座部が設けられるとともに、該締付固定座部上に環状リブが連続して設けられ、該固定ボルトを該固定孔に挿入して該被固定部に締付固定したとき、該固定ボルトのフランジ部が該環状リブに当接するように構成されたことを特徴とする始動発電機のセンサケースの取付構造。
【請求項２】
前記環状リブは、前記締付固定座部の平面視において方形の枠状に形成され、前記固定ボルトを締め付けたとき、該固定ボルトのフランジ部が該環状リブの直線部分の一部に当接することを特徴とする請求項１記載の始動発電機のセンサケースの取付構造。
【請求項３】
前記方形枠状の環状リブの角部に短絡リブが該角部を短絡するように設けられ、前記固定ボルトを締め付けたとき、該短絡リブは該固定ボルトのフランジ部の外側に位置することを特徴とする請求項２記載の始動発電機のセンサケースの取付構造。
【請求項４】
前記環状リブの角部に、該環状リブの直線部分の幅より広くした形状の拡幅リブが設けられ、前記固定ボルトを締め付けたとき、該拡幅リブは該固定ボルトのフランジ部の外側に位置することを特徴とする請求項３記載の始動発電機のセンサケースの取付構造。
【請求項５】
前記短絡リブは、前記締付固定部の先端中央部近傍に位置することを特徴とする請求項３記載の始動発電機のセンサケースの取付構造。
【請求項６】
前記環状リブの直線部分は、上面が長手方向に向けて徐々に傾斜し、その厚さが増すように形成されることを特徴とする請求項２記載の始動発電機のセンサケースの取付構造。
【発明の詳細な説明】
【技術分野】
【０００１】
本発明は、自動二輪車等のエンジンに搭載され、エンジンの始動、点火、及び搭載バッテリの充電等に使用される始動発電機のセンサケースの取付構造に関する。
【背景技術】
【０００２】
自動二輪車等のエンジンに搭載される始動発電機は、基本的には、回転子が中央にボス部を有したカップ状に形成され、その外周壁を形成するヨーク部の内側に沿って、ロータ磁石が円環状に装着され、固定子が回転子の内側に、発電コイルを巻装した複数の磁極部を放射状に配置して構成され、回転子のボス部がエンジンのクランク軸に結合される。
【０００３】
また、この種の始動発電機は、エンジンの始動時、スタータ用のブラシレスモータとして使用される場合、モータドライバ用の回転位置信号を発生させるために、回転位置検出センサが設けられ、さらに、エンジンの点火時期を示す点火時期基準信号を発生させるために、点火時期検出用の検出センサが設けられる。
【０００４】
このような回転検出センサを設けた始動発電機は、固定子の内周部に回転位置検出センサ及び点火時期検出センサが取り付けられ、これらの回転検出センサに対向して、回転子のボス部の周面に、回転位置検出用環状マグネットが設けられ、さらに点火時期検出センサに対向して点火時期検出用環状マグネットが設けられる。
【０００５】
一方、回転位置検出用環状マグネット及び点火時期検出用環状マグネットを設けずに、回転子のマグネットと磁気センサを用いて、回転位置信号と点火時期信号を発生させる始動発電機が、従来知られている。
【０００６】
この始動発電機は、回転子のマグネットにおける磁束の切換を磁気センサで検出するために、固定子のステータコアに複数の切欠凹部を設け、それらの切欠凹部内に磁気センサを挿入すると共に、回転子の１個のマグネットの一部に、隣接するマグネットと同じ極性の磁極部を設け、その磁極部とそれに対向する磁気センサにより点火時期検出信号を発生させる構造である。
【０００７】
この始動発電機は、磁気センサがセンサケースの各センサカバー部に収納され、各センサカバー部が固定子のステータコアに複数の切欠凹部に挿入され、その状態で、センサケースは、被固定部となるステータコア及びエンジンブロックに、固定ボルトにより締付固定される。
【０００８】
センサケースは、通常、合成樹脂により成形され、被固定部に固定される締付固定部も、センサケースの一部に一体成形される。センサケースの組付け時には、固定ボルトによりセンサケースの締付固定部を、エンジンブロック及び／またはステータコアに締付固定するが、始動発電機の使用時、エンジンブロック、ステータコアには振動が発生するため、固定ボルトの締付トルクの管理は正確に行なう必要がある。
【先行技術文献】
【特許文献】
【０００９】
【特許文献１】特開２０１１-９１９６６号公報
【発明の概要】
【発明が解決しようとする課題】
【００１０】
そこで、従来、合成樹脂製のセンサケースの固定部に、固定ボルトによって締付固定するための締付固定座部を設けた始動発電機が、上記特許文献１により提案されている。この始動発電機は、そのセンサケースの一部に設けた締付固定座部に、複数の突起を設けておき、組付け時に、固定ボルトを締め付けてセンサケースをエンジンブロックに対し締付固定したとき、締付固定座部の突起を、固定ボルトのフランジ部により押し潰して固定するようにしている。
【００１１】
しかし、この従来の始動発電機のセンサケースは、その締付固定座部に設けた複数の突起が間隔をおいて配置されるため、固定ボルトを締め付けたとき、その締付応力が突起の根元部に集中し、その応力集中によって、突起に割れが発生しやすいという不具合があった。
【００１２】
さらに、センサケースの締付固定座部は、ケースの一部に突設され、且つ中央にボルトの挿通穴を有する円環状に形成されるため、成形型を用いた射出成形時に、ウエルド部（材料の流れが停止する前に材料が部分硬化して生じる不連続部分）が生じやすく、また、突起の応力集中に伴い、締付固定座部に集中する応力が増大した場合、ウエルド部にかかる応力も増大し、割れが発生しやすくなる課題があった。
【００１３】
さらに、合成樹脂によるセンサケースの型成形時、円環状の締付固定座部に不連続に点在する突起部には、合成樹脂材料が流入しにくく、突起部にボイドを発生させやすい課題があった。
【００１４】
本発明は、上記の点に鑑みてなされたもので、応力集中を発生させずに、センサケースを被固定部に適正に締付固定することができる始動発電機のセンサケースの取付構造を提供することを目的とする。
【課題を解決するための手段】
【００１５】
上記目的を達成するために、本発明の始動発電機のセンサケースの取付構造は、中央にボス部を設けてカップ状に形成されたロータ本体の外周壁にヨーク部を形成し、該ヨーク部の内側にロータ磁石を装着したロータと、該ロータの内側に静止して配設され、発電コイルをステータコアに巻装した複数の突極部を有したステータと、を備えた始動発電機であって、該ロータの回転位置を検出して検出信号を出力する複数の磁気センサが合成樹脂製のセンサケース内に設けられ、該センサケースが被固定部に固定ボルトにより締付固体される始動発電機のセンサケースの取付構造において、前記センサケースには、該被固定部に固定される締付固定部が突設され、該締付固定部に固定ボルト用の固定孔が設けられ、該固定孔の周囲に締付固定座部が設けられるとともに、該締付固定座部上に環状リブが連続して設けられ、該固定ボルトを該固定孔に挿入して該被固定部に締付固定したとき、該固定ボルトのフランジ部が該環状リブに当接するように構成されたことを特徴とする。
【００１６】
この発明によれば、締付固定座部の周囲に環状リブが連続して形成され、固定ボルトの締付固定時、固定ボルトのフランジ部が環状リブに当接して締め付けるため、締付時の応力は環状リブ上で分散され、応力集中が生じず、センサケースを被固定部に適正に締付固定することができる。また、ウエルド部が生じやすい部分への応力集中を回避することができる。さらに、センサケースを合成樹脂で成形する際、成形性が良好となり、ボイドの発生を防止することができる。
【００１７】
ここで、上記センサケースの取付構造において、上記環状リブは、上記締付固定座部の平面視において方形の枠状に形成され、固定ボルトを締め付けたとき、該固定ボルトのフランジ部が該環状リブの直線部分の一部に当接するように構成することが好ましい。これによれば、固定ボルトの締付時、環状リブに生じる応力集中を、一層効果的に防止することができる。
【００１８】
また、上記センサケースの取付構造において、方形枠状の環状リブの角部に短絡リブが該角部を短絡するように設けられ、固定ボルトを締め付けたとき、該短絡リブは該固定ボルトのフランジ部の外側に位置するように構成することができる。これによれば、固定ボルトの締付時、短絡リブにより環状リブに生じる応力を分散させ、応力集中を一層効果的に防止することができる。
【００１９】
また、上記センサケースの取付構造において、上記環状リブの角部に、該環状リブの直線部分の幅より広くした形状の拡幅リブが設けられ、上記固定ボルトを締め付けたとき、該拡幅リブは該固定ボルトのフランジ部の外側に位置するように構成することができる。これによれば、固定ボルトの締付時、環状リブの角部に生じやすい応力を拡幅リブにより分散させ、応力集中を一層効果的に防止することができる。
【００２０】
また、上記センサケースの取付構造において、上記短絡リブは、上記締付固定部の先端中央部近傍に位置するように構成することが好ましい。これによれば、センサケースの成形時、締付固定部の先端中央部近傍にウエルド部が発生しやすいところ、短絡リブをその部分に設けることにより、ウエルド部に生じる応力を分散させ、ウエルド部の応力集中を防止して、応力集中による割れを防止することができる。
【００２１】
また、上記センサケースの取付構造において、上記環状リブの直線部分は、上面が長手方向に向けて徐々に傾斜し、その厚さが増すように形成することができる。これによれば、固定ボルトの締付時、そのフランジ部が傾斜したリブを押し潰すため、固定ボルトの緩みを効果的に防止することができる。
【発明の効果】
【００２２】
本発明の始動発電機のセンサケースの取付構造によれば、応力集中を発生させずに、センサケースを被固定部に適正に締付固定することができる。
【図面の簡単な説明】
【００２３】
【図１】本発明の一実施形態を示す始動発電機の正面図である。
【図２】エンジンに取り付けた状態の始動発電機の中央断面図である。
【図３】センサユニットの側面図である。
【図４】センサユニットの分解斜視図である。
【図５】ロータ磁石の展開配置図である。
【図６】センサユニットの分解平面図である。
【図７】センサケースの底面側から見た斜視図である。
【図８】センサユニットの平面図である。
【図９】センサユニットの底面図である。
【図１０】磁気センサをステータコア間に挿入した状態を示す部分断面図である。
【図１１】磁気センサとロータ磁石の関係を示す説明図である。
【図１２】回転位置検出信号、点火時期信号を示すタイミングチャートである。
【図１３】他の実施形態を示すセンサケースの締付固定部の平面図（ａ）と斜視図（ｂ）である。
【図１４】他の実施形態を示すセンサケースの締付固定部の平面図（ａ）と斜視図（ｂ）である。
【図１５】他の実施形態を示すセンサケースの締付固定部の平面図（ａ）と斜視図（ｂ）である。
【図１６】他の実施形態を示すセンサケースの締付固定部の平面図（ａ）と斜視図（ｂ）である。
【発明を実施するための形態】
【００２４】
以下、本発明の実施の形態を図面に基づいて説明する。図１は始動発電機の正面図を示し、図２はその中央縦断面図を示している。始動発電機のロータ１は、中央にボス部３を有し、その外周部を囲うようにヨーク部２を設けてカップ状に形成され、ヨーク部２及びボス部３は、磁性体金属を材料にして、例えば熱間鍛造及び切削加工によって製作される。
【００２５】
ロータ１の中央のボス部３には、図２に示すように、エンジンのクランク軸９に嵌着されるテーパ孔が形成され、ボス部３の先端には平坦な締付座面が形成され、ヨーク部２の内側には、複数個に分割された円弧状の磁石片からなるロータ磁石４が円環状に配設される。円環状に配設されたロータ磁石４は、ヨーク部２の内側に保持され、ロータ磁石４の内側には円筒状の保護カバー５が嵌着される。ロータ磁石４は、その円環状全体で１２極の磁極部が、Ｎ極とＳ極を交互に円環状に隙間なく配置されて構成される。
【００２６】
さらに、ロータ磁石４は、図５の展開図に示すように、そのうちの１つの磁極部４１の端部に、磁極の相違した、つまり隣接する磁極と同じ磁極の検出磁極部４２が、点火時期検出信号の発生用に帯磁される。ここでは、磁極部４１がＳ極に帯磁されるため、その上の検出磁極部４２はＮ極に帯磁され、隣接する磁極部４３、４４と同じ磁極に帯磁される。この検出磁極部４２は、点火時期検出信号を発生するための磁気センサ１４ｄによって検出されるようになっている。
【００２７】
上記ロータ１は、図２に示すように、エンジンのクランク軸９の先端に、そのボス部３を嵌合させ、固定ボルトまたは固定ナットをクランク軸９の先端にねじ込み、固定される。ロータ１のボス部３のテーパ孔をクランク軸９の先端にはめ込む場合、クランク軸９のテーパ部の外周に取り付けたキーをロータ側のキー溝に嵌入することにより、ロータ１はエンジンのクランク軸９に対し所定の角度位置関係を設定し嵌合固定される。
【００２８】
一方、始動発電機のステータ２０は、図１、図２に示すように、ステータコア２２の外周部に突設された複数の突極部２１に、各々発電コイル２３を巻装して構成される。ステータコア２２は、環状の継鉄部２４の外周部に複数の突極部２１を設けた形状に打ち抜いた複数の鋼板を積層し、それをリベットにより固定して形成される。最前面の鋼板と背面の鋼板における突極部２１の先端は外側にフランジ状に曲折され、その部分に巻装する発電コイル２３の保持機能を持たせている。ステータコア２２の各突極部２１には、発電コイル２３が巻線機により順に所定のターン数巻回され、図１のように、その口出し線にワイヤハーネス８が接続される。
【００２９】
さらに、ステータ２０には、ロータ１の回転位置を検出してその回転位置検出信号及び点火時期信号を発生させるために、ホールＩＣ等の磁気センサ１４ａ，１４ｂ，１４ｃ，１４ｄを備えたセンサユニット１０が、図１、図２に示す如く、ステータ２０の正面の所定位置に取り付けられる。
【００３０】
センサユニット１０は、図４、図６に示すように、センサケース１１内に磁気センサ１４の検出信号用の回路基板１２を収納し、センサケース１１の底部に４本のセンサカバー部１５が突出するように設けられ、それらのセンサカバー部１５内に磁気センサ１４ａ，１４ｂ，１４ｃ，１４ｄが挿入されて装着されるように構成される。
【００３１】
センサケース１１は、図４，６に示す如く、合成樹脂により箱状に一体成形され、センサケース１１内底部には、内部に収納される回路基板１２を固定するために、回路基板１２固定用の割れピン部１１ａが突設される。回路基板１２には固定孔１２ａが設けられ、この固定孔１２ａを割れピン部１１ａに嵌め込み、回路基板１２がセンサケース１１内の所定位置に固定される。
【００３２】
また、回路基板１２には、その内側面に回路が形成され、回路素子が実装されるとともに、磁気センサ１４ａ，１４ｂ，１４ｃ，１４ｄが、各々のセンサカバー部１５に挿入される形態で、長尺リード線または短尺リード線を介して、検出回路に接続される。
【００３３】
さらに、回路基板１２には、４個の磁気センサ１４ａ，１４ｂ，１４ｃ，１４ｄが、長尺リード線、短尺リード線を介して、各センサカバー部１５の位置に合わせ、内側に突き出す形態で取り付けられる。これにより、回路基板１２をセンサケース１１内の定位置に収納したとき、磁気センサ１４ａ，１４ｂ，１４ｃ，１４ｄが、各センサカバー部１５内に挿入され、センサケース１１内に装着されるようになっている。４個の磁気センサの取り付け状態は、ロータ１の回転位置を検出する３個の磁気センサ１４ａ，１４ｂ，１４ｃが長尺リード線を介して取り付けられ、点火時期検出用の磁気センサ１４ｄはそれより短い短尺リード線を介して取り付けられる。
【００３４】
センサケース１１は、図７〜図９に示すように、その内側縁部に、固定孔を設けた取付部１３がステータコア２２への固定用に一体成形され、さらにセンサケース１１の外側に、固定孔３１を設けた締付固定部３０が、エンジンブロックへの固定用に、舌状に突き出す形態でケースとともに一体成形される。
【００３５】
締付固定部３０は、センサケース１１の外側に突き出すように突設され、その中央に固定ボルト７用の固定孔３１が形成される。締付固定部３０上の固定孔３１の周囲には、締付固定座部３２が固定ボルト７のフランジ部７ａ（図３）が当接するように形成される。さらに、図７〜図９に示すように、締付固定座部３２上に、平面視で、方形枠状の環状リブ３３が連続して設けられる。この締付固定座部３２は、固定孔３１の周縁部において、締付固定部３０の表面から一段下がった環状の凹面状に形成され、その凹面内に環状リブ３３が連続して形成される。
【００３６】
環状リブ３３は、図７，図９の如く、方形の枠状に形成され、固定ボルト７を固定孔３１に挿入して締め付けたとき、固定ボルト７のフランジ部７ａが環状リブ３３の直線部分３３ａの一部に当接するような形状と大きさに形成されている。固定ボルト７は、図３のように、その頭部の下側にフランジ部７ａが形成され、フランジ部７ａの元部にカラー７ｂが設けられ、固定ボルト７を固定孔３１に挿入したとき、カラー７ｂが固定孔３１の内側に密に進入し、フランジ部７ａが締付固定座部３２に当接して、固定ボルト７を締付可能な構造としている。
【００３７】
また、環状リブ３３は、締付固定座部３２上に環状にかつ連続して形成され、これにより、センサケース１１の型成形時、合成樹脂材料が流入しにくい突状部の締付固定部３０において、環状リブ３３に樹脂を良好に回すことができ、その部分におけるボイドの発生を防止することができる。
【００３８】
磁気センサ１４を装着したセンサユニット１０を取り付ける場合、磁気センサ１４ａ，１４ｂ，１４ｃ，１４ｄを、センサカバー部１５を介してステータ２０の突極部２１と突極部２１間の隙間に挿入し、ロータ１のロータ磁石４の回転に伴う磁束変化を検出するように取り付けられる。図示は省略されているが、最終的にはこの状態で、センサケース１１内にモールド樹脂が充填され、回路基板１２や磁気センサ１４ａ，１４ｂ，１４ｃ，１４ｄは十分な耐振動強度を持って定位置に固定される。
【００３９】
ここで、発電機の回転検出と、点火時期検出について説明すると、センサユニット１０の磁気センサ１４ａ，１４ｂ，１４ｃ，１４ｄは、センサケース１１をステータ２０の定位置に固定することにより、図１０のように、ステータ２０の突極部２１と突極部２１間の隙間に挿入配置される。そのとき、長尺リード線の磁気センサ１４ａ，１４ｂ，１４ｃは、ロータ磁石４の磁極部４１、磁極部４３、磁極部４４等に達する位置に取り付けられ、短尺リード線の磁気センサ１４ｄは、点火時期検出用の検出磁極部４２の位置に対応して取り付けられる。
【００４０】
つまり、センサユニット１０は、そこに設けた磁気センサ１４ａ〜１４ｄにより、ロータ磁石４の回転位置を検出するが、４個の磁気センサ１４のうちの１個の磁気センサ１４ｄは短尺リード線を有してロータ磁石４（図５）の端部の磁気を検出するので、その位置に対向して回転する磁石片は、その隣接する磁極と同じ磁極の検出磁極部４２が磁気センサ１４ｄを通過する際、磁気センサ１４ｄは、図５のように、Ｎ極の磁束を継続して検出する。
【００４１】
これにより、ロータ磁石４の検出磁極部４２が、センサユニット１０の磁気センサ１４ｄに達したとき、磁気センサ１４ｄには、Ｎ・Ｎ・Ｎ極となって磁束の切換変化が生じず、ロータ磁石４の隣接する磁極部４１〜４４間で、図１２に示す如く、連続する低レベル信号または高レベル信号を点火時期信号として発生させる。
【００４２】
一方、ステータコア２２の中央部の継鉄部２４には固定孔が穿設され、その固定孔に固定ねじ２６が挿通され、その固定ねじ２６によって、図１のようにステータ２０はエンジンブロック２７の内側に固定される。ロータ１は、図２の如く、エンジンのクランク軸９の先端に、上記検出磁極部４３ｄを所定の角度位置として固定される。
【００４３】
センサユニット１０をステータ２０の定位置に取り付ける場合、図１のように、センサケース１１の取付部１３をステータ２０の継鉄部２４に当て、取付ボルト１３ａを取付部１３の取付孔に挿入して締め付け、ステータ２０の継鉄部２４に固定する。そして、ステータ２０がエンジンのエンジンブロック２７の内側に固定された状態で、センサケース１１の締付固定部３０をエンジンブロック２７の被固定部に当接させ、固定ボルト７を固定孔３１に挿入して締付固定する。
【００４４】
このとき、固定ボルト７のフランジ部７ａは、環状リブ３３の直線部分３３ａの一部に当接し、その直線部分３３ａを押し潰すように締付固定されるところ、環状リブ３３は連続して環状に形成されるので、リブに生じる応力を分散して、応力の集中を防止することができる。
【００４５】
また、環状リブ３３は、方形の枠状に形成され、固定ボルト７のフランジ部７ａは、図９に示すように、環状リブ３３の角部を外側に外し、直線部分３３ａの一部に当接して押し潰すように固定されるので、応力集中が生じず、センサケース１１をエンジンブロック２７の被固定部に適正に締付固定することができる。
【００４６】
また、合成樹脂製のセンサケース１１は、その型成形時、締付固定部３０の先端部近傍に、合成樹脂材料が回りこむ際、ウエルド部（合成樹脂材料の流れが完全に停止する前に部分硬化を起こし、型の内部に不連続部が発生する部分）が発生し、ウエルド部に応力集中が生じやすいところ、連続する環状リブ３３により、固定ボルトの締付時にかかる応力は分散し、ウエルド部の応力集中を回避することができる。
【００４７】
上記構成の始動発電機は、エンジンの始動時、ブラシレスモータとして機能し、図示しないモータドライバからＵＶＷ各相の電流がステータ２０の各突極部２１のコイルに供給され、それによりロータ１が回転する。このとき、センサユニット１０の磁気センサ１４ａ，１４ｂ，１４ｃ，１４ｄによって検出された回転位置検出信号がモータドライバに送られ、ブラシレスモータとして始動発電機が駆動され、始動発電機のロータ１の回転によりクランク軸９が回転駆動され、エンジンが始動する。
【００４８】
エンジンの始動に伴い、図示しないエンジンの制御部には、ロータ磁石４の磁束を検出した磁気センサ１４ａ，１４ｂ，１４ｃ,１４ｄからの回転位置検出信号と基準位置信号（磁気センサ１４ｄの検出信号）が入力され、この回転位置検出信号と基準位置信号に基づき点火時期信号が生成され、エンジンの点火時期制御が行われる。図１２に示すように、このときの点火時期信号は、磁気センサ１４ａ，１４ｂ，１４ｃの回転位置検出信号と磁気センサ１４ｄからの高レベルの基準位置信号が継続するタイミングで生成される。
【００４９】
図１３〜図１６は他の実施形態のセンサケース１１の締付固定部を示し、図１３の実施形態では、センサケース１１の締付固定部３０に設けた締付固定座部３２上に、連続する方形枠状の環状リブ３３を設け、さらに、その環状リブ３３の角部３３ｂ（直線部分３３ａと直線部分３３ａの接合する角部）に、短絡リブ３５がその角部３３ｂを短絡するように設けられる。
【００５０】
この短絡リブ３５は、固定ボルト７の締付時、そのフランジ部７ａの外側に位置し、この短絡リブ３５を設けることにより、固定ボルト７の締付時に応力集中の生じやすい角部３３ｂの応力を分散させ、応力集中を防止して、締付固定座部３２の割れを防止することができる。
【００５１】
特に、センサケース１１を合成樹脂の射出成形により型成形する際、合成樹脂材料が最後に締付固定部３０に回るため、締付固定部３０の先端部にウエルド部が発生しやすいが、図１３に示すように、その先端部に環状リブ３３の角部が位置し、その角部に短絡リブ３５が形成されるので、固定ボルト７の締付時に応力集中の生じやすい角部３３ｂの応力を分散させ、応力集中を一層防止して、締付固定座部３２の割れを防止することができる。
【００５２】
さらに、図１４、１５の実施形態では、センサケース１１の締付固定部３０に設けた締付固定座部３２上に、連続する方形枠状の環状リブ３３を設け、その環状リブ３３の角部３３ｂ（直線部分３３ａと直線部分３３ａの角部）に、リブの幅を内側の角部で広くした形状の拡幅リブ３６、３７が設けられる。
【００５３】
図１４の拡幅リブ３６は、角部のリブの幅を広くした形状に形成され、図１５の拡幅リブ３７は、環状リブ３３の直線部分３３ａの角部近傍の幅を広くした形状に形成される。
【００５４】
この拡幅リブ３６、３７は、固定ボルト７の締付時、そのフランジ部７ａの外側に位置し、この拡幅リブ３６、３７を設けることにより、固定ボルト７の締付時に応力集中の生じやすい角部３３ｂの応力を分散させ、応力集中を一層防止して、締付固定座部３２の割れを防止することができる。
【００５５】
さらに、図１６の実施形態では、センサケース１１の締付固定部３０に設けた締付固定座部３２上に、連続する方形枠状の環状リブ３８が設けられ、この環状リブ３８の直線部分３８ａは、その上面が長手方向に向けて徐々に傾斜して、つまり直線部分３８ａの厚さ（高さ）が増すように形成される。
【００５６】
このため、固定ボルト７を締め付けた際、そのフランジ部７ａにより、傾斜して厚さの変わる直線部分３８ａが押し潰されて締付固定され、適正な締付トルクによる締付状態で、固定ボルト７の緩みを防止することができる。図１６に示すように、環状リブ３８の角部３８ｂにおいて、異なる辺部の直線部分３８ａと直線部分３８ａが接続する箇所では、リブの上面の傾斜により段差が生じるが、角部３８ｂは固定ボルト７のフランジ部７ａの外側に位置するため、不具合は生じない。
【００５７】
なお、上記実施形態では、環状リブ３３の形状を方形枠状としたが、環状リブは連続して環状に形成すればよく、方形枠状以外に曲線部を含む異形形状とすることもできる。
【符号の説明】
【００５８】
１      ロータ
２      ヨーク部
３      ボス部
４      ロータ磁石
５      保護カバー
７      固定ボルト
７ａ    フランジ部
７ｂ    カラー
８      ワイヤハーネス
９      クランク軸
１０    センサユニット
１１    センサケース
１１ａ  ピン部
１２    回路基板
１２ａ  固定孔
１３    取付部
１３ａ  取付ボルト
１４    磁気センサ
１４ａ  磁気センサ
１４ｄ  磁気センサ
１５    センサカバー部
２０    ステータ
２１    突極部
２２    ステータコア
２３    発電コイル
２４    継鉄部
２７    エンジンブロック
３０    締付固定部
３１    固定孔
３２    締付固定座部
３３    環状リブ
３３ａ  直線部分
３３ｂ  角部
３５    短絡リブ
３６    拡幅リブ
３７    拡幅リブ
３８    環状リブ
３８ａ  直線部分
３８ｂ  角部
４１    磁極部
４２    検出磁極部
４３    磁極部
４３ｄ  検出磁極部
４４    磁極部
【図１】
2014068420.tif 000003
【図２】
2014068420.tif 000004
【図３】
2014068420.tif 000005
【図４】
2014068420.tif 000006
【図５】
2014068420.tif 000007
【図６】
2014068420.tif 000008
【図７】
2014068420.tif 000009
【図８】
2014068420.tif 000010
【図９】
2014068420.tif 000011
【図１０】
2014068420.tif 000012
【図１１】
2014068420.tif 000013
【図１２】
2014068420.tif 000014
【図１３】
2014068420.tif 000015
【図１４】
2014068420.tif 000016
【図１５】
2014068420.tif 000017
【図１６】
2014068420.tif 000018